(57)【要約】【課題】メモリカードをカードスロットにいちいち挿入しなくでも、メモリカードに書かれている内容を容易に確認できるようにする。【解決手段】有線通信手段と無線通信手段とを有し、前記有線通信手段と前記無線通信手段の両方もしくはどちらか一方の通信手段にてデータを読み出しが可能なメモリカードに、前記有線通信手段または無線通信手段の何れによっても読み出し可能な第１のメモリ手段と、前記有線通信手段でのみ読み出し可能な第２のメモリ手段とを設け、メモリカードをカードスロットに一枚づつ挿入しなくても、メモリカードに書かれている内容を確認できるようにする。【選択図】        図２
2004265343.tif 000002
【特許請求の範囲】
【請求項１】
有線通信手段と無線通信手段とを有し、前記有線通信手段と前記無線通信手段の両方もしくはどちらか一方の通信手段にてデータを読み出しが可能なメモリカードであって、
前記有線通信手段または無線通信手段の何れによっても読み出し可能な第１のメモリ手段と、前記有線通信手段でのみ読み出し可能な第２のメモリ手段とを有することを特徴とするメモリカード。
【請求項２】
前記第１のメモリ手段は、電気接点を介さずに外部から電力の供給を受ける第１の電力供給手段と、有線にて外部から電力の供給を受ける第２の電力供給手段と、前記第１の電力供給手段の出力または前記第２の電力供給手段出力の何れか一つを選択する電力供給選択手段とを有することを特徴とする請求項１に記載のメモリカード。
【請求項３】
前記第１の電力供給手段は、電磁誘導にて外部から電力供給を受けるためのアンテナ手段を有することを特徴とする請求項１または２に記載のメモリカード。
【請求項４】
前記電力供給選択手段は、無線通信方式の時には前記第１の電力供給手段を選択し、有線通信方式の時には前記第２の電力供給手段を選択することを特徴とする請求項２または３に記載のメモリカード。
【請求項５】
前記第１のメモリ手段には、画像情報を記録することと特徴とする請求項１〜４の何れか１項に記載のメモリカード。
【請求項６】
前記画像情報とは、画像のサムネイル、画像を撮影した日時情報、画像を記録した日時情報、画像のファイル名等の画像を特定する複数の情報のうちの、一つまたは複数で構成されることを特徴とする請求項５に記載のメモリカード。
【発明の詳細な説明】
【０００１】
【発明の属する技術分野】
本発明はメモリカードに係わり、特に、ビデオカメラやデジタルカメラ等に対して、有線手段や無線手段にて通信することで画像データの交換が可能なビデオカメラやデジタルカメラに用いて好適なメモリカードに関する。
【０００２】
【従来の技術】
従来、動画像や静止画像等を記録し、その記録された画像を再生する画像記録再生装置としては、画像信号をデジタル信号に変換した後、磁気テープにシーケンシャル記録するデジタルＶＴＲが知られている。
【０００３】
これに対して、データのハンドリングを更に容易にするために、最近では、メモリカード等のランダムアクセスメディアにも、動画像や静止画像を記録可能にするデジタルＶＴＲやデジタルカメラも開発され、普及しつつある。
【０００４】
これらのデジタル映像記録システムでは、情報量の削減のために、入力デジタル信号に圧縮処理を施しており、少ない記憶容量で多くの画像情報や静止画情報の記録を可能にしている。このような画像記録再生装置の圧縮方式は種々の方式がある。
【０００５】
例えば、ＤＣＴ方式では画像を複数のブロックに分割するとともに、それぞれのブロック毎に直交変換を施して、各係数を所定のビット数に丸めることで量子化するようにしている。この場合、画像情報は低域に偏っているため、高周波成分のビット数を減らすことでデータ量を削減することができる。
【０００６】
また、ＤＣＴ方式ではなく、ウェーブレット変換を用いてサブバンド化してから量子化を行なう方式もある。そして、これに加えて、ハフマン符号化等の可変長符号化を行い、出現確立がより高いビットシーケンスに対してはより短い長さの符号を割り当てることにより、効率のよいデータ圧縮を行なう方式も知られている。
【０００７】
さらに、動画像を圧縮する場合には、動画像の画像はフレーム間での相関が強いという性質を利用して、フレーム間の差分を抽出するなどして、データ量を大幅に圧縮することを可能にする方式も実用化されている。
【０００８】
前述のような、様々な圧縮技術を組み合わせて動画像や静止画像の圧縮を行い、データ量を削減した上で、ランダムアクセスメディアである半導体メモリカードや、固体磁気ディスクメモリや光ディスクメモリ等に記録するのが、近年の一般的なデジタル画像記録システムである。
【０００９】
このような、デジタル圧縮された動画像データや静止画像データを、半導体メモリカードに記録するにあたっては、半導体メモリカード上の制御回路とデータ通信を行い、画像の記録や再生を行なうようにしている。また、１枚の半導体メモリカードには記録できるデータ量が限られているために、複数枚の半導体メモリカードを自由に入れ替えて使うのが一般的である。
【００１０】
そのために、ビデオカメラやデジタルカメラでは、通信コネクタの役割を果たすカードスロットを設けて、半導体メモリカードを自由に出し入れできる構造になっている。このカードスロットに、複数枚のカードの中から、任意の１枚の半導体メモリカードを挿入して使用することで、目的のカードと通信を行ことにより、動画像や静止画データを記録したり、読み出したりすることができるようにしている。
【００１１】
【発明が解決しようとする課題】
ところが、前述のように、複数枚の半導体メモリカードに、動画像や静止画像のデータを記録した場合、各メモリカードに書かれている内容は、カードスロットにメモリカードを一枚づつ挿入しないと内容を確認することができない欠点があった。
【００１２】
本発明は、前述の欠点を解決するもので、メモリカードをカードスロットにいちいち挿入しなくても、書かれている内容を容易に確認できるようにすることを目的とする。
【００１３】
【課題を解決するための手段】
本発明のメモリカードは、有線通信手段と無線通信手段とを有し、前記有線通信手段と前記無線通信手段の両方もしくはどちらか一方の通信手段にてデータを読み出しが可能なメモリカードであって、前記有線通信手段または無線通信手段の何れによっても読み出し可能な第１のメモリ手段と、前記有線通信手段でのみ読み出し可能な第２のメモリ手段とを有することを特徴としている。
また、本発明の他の特徴とするところは、前記第１のメモリ手段は、電気接点を介さずに外部から電力の供給を受ける第１の電力供給手段と、有線にて外部から電力の供給を受ける第２の電力供給手段と、前記第１の電力供給手段の出力または前記第２の電力供給手段出力の何れか一つを選択する電力供給選択手段とを有することを特徴としている。
また、本発明のその他の特徴とするところは、前記第１の電力供給手段は、電磁誘導にて外部から電力供給を受けるためのアンテナ手段を有することを特徴としている。
また、本発明のその他の特徴とするところは、前記電力供給選択手段は、無線通信方式の時には前記第１の電力供給手段を選択し、有線通信方式の時には前記第２の電力供給手段を選択することを特徴としている。
また、本発明のその他の特徴とするところは、前記第１のメモリ手段には、画像情報を記録することと特徴としている。
また、本発明のその他の特徴とするところは、前記画像情報とは、画像のサムネイル、画像を撮影した日時情報、画像を記録した日時情報、画像のファイル名等の画像を特定する複数の情報のうちの、一つまたは複数で構成されることを特徴としている。
【００１４】
【発明の実施の形態】
次に、添付図面を参照しながら本発明のメモリカードの実施の形態について説明する。なお、本実施の形態で、画像と表現しているものは、静止画の画像と動画の画像の両方を表すものであり、圧縮方式や、画像データのサイズ等に限定されるものではない。
【００１５】
＜実施の形態の共通説明＞
図１は、実施の形態のカメラの構成を表す図である。カメラ１００内の各ユニットは、バス１１１を介して接続されており、各ユニットは、ＣＰＵ１０７によって制御される構造になっている。
【００１６】
カメラ１００の動作としては、記録モードと再生モードとがある。まず、最初に記録モード時の動作について説明する。カメラ１００が記録モードで起動すると、フラッシュメモリ１０９に格納されていたプログラムがＲＡＭ１０８の一部にロードされ、ＣＰＵ１０７はこのＲＡＭ１０８にロードされたプログラムに従って動作を行なう。
【００１７】
レンズユニット１０１、撮像素子１０２、撮像信号処理回路１０３は、ＣＰＵ１０７で制御された撮像部制御回路１０４により制御され、後述の撮像動作を行なう。被写体からの光はレンズユニット１０１を通して撮像素子１０２に結像される。
【００１８】
撮像素子１０２に結像された映像は光電変換され、所定周期で読み出される。撮像信号処理回路１０３では、撮像素子画像の画像処理が行われデジタルの動画像や静止画像が生成される。以上が、撮像動作である。操作スイッチ１０５にて、画像の記録の操作が行われると、このデジタル動画像・静止画像は画像圧縮解凍器１０６にて、例えばＪＰＥＧやＭＰＥＧ等の画像圧縮が行われ、圧縮動画像・圧縮静止画像が生成され、一次的にＲＡＭ１０８に格納される。
【００１９】
この圧縮動画像や圧縮静止画像は、メモリインターフェース１１２、コネクタ１１３を通して、画像記録用メモリカード１２０に記録される。この際に、画像のインデックスを示す画像情報であるサムネイルや、画像を撮影した日時情報、画像を記録した日時情報、画像のファイル名等も合わせて画像記録用１２０に記録する。
【００２０】
次に、画像の再生モードについて説明する。カメラ１００が再生モードで起動すると、フラッシュメモリ１０９に格納されていたプログラムがＲＡＭ１０８の一部にロードされる。すると、ＣＰＵ１０７は、このＲＡＭＲＡＭ１０８にロードされたプログラムに従って動作を行なうのは、記録モードと同じである。
【００２１】
しかし、再生モードで起動すると、図３の動作１に示した如く、画像記録用メモリカード１２０がコネクタ１１３（メモリカードスロット）に接続されている場合（有線通信モード）は、画像記録用メモリカード１２０内の画像情報（サムネイルや日時情報、ファイル名など）を読み出し、ディスプレイ１１０に、図４（Ａ）のように、画像のインデックス情報として表示する。
【００２２】
そして、操作スイッチ１０５にて、前記画像インデックス情報から特定の画像を選択して表示命令を与えると、ＣＰＵ１０７は、画像記録用メモリカード１２０から、前記特定画像の画像本体を読み出して、画像圧縮回答回路１０６にて解凍を行い、ディスプレイ１１０に表示を行なうことができる。
【００２３】
一方、図３の動作２に示した如く、画像記録用メモリカード１２０が、アンテナ１１６に対して近づけたり触れたりした場合（無線通信モード）は、アンテナ１１６を通して画像記録用メモリカード１２０に対して給電が行われる。
【００２４】
また、それと同時に、アンテナ１１６とメモリカード１２０との間で通信が行われ、変復調器１１５を通して、画像記録用メモリカード１２０内の画像情報（サムネイルや日時情報、ファイル名など）が読み込まれる。ただし、アンテナ１１６を介して通信を行ったときは、コネクタ１１３を介して通信を行う場合に対して通信速度が遅い。
【００２５】
そのために、読み込む画像情報の情報量を少なく制限するなどして通信量の制限を行い、コネクタ１１３を通して読み出されたときとは異なった表示をディスプレイ１１０に行なうようにしている。
【００２６】
図２は、前記画像記録用メモリカード１２０、及びカメラ１００の通信部の構成を表す図である。
図２に示したように、メモリカード１２０は、有線通信モードと無線通信モードとがある。最初に、有線通信モードについて説明する。コネクタ２１１は、カメラ１００のコネクタ１１３と接続されたときは有線通信モードになる。
【００２７】
有線通信モードでは、第２の制御回路２１３がカード全体の制御を行なう。第２の制御回路２１３は、通信インターフェース２１２を通してカメラ本体１００と通信を行なうと同時に、カメラ本体１００からの通信コマンドに従って、第２のメモリ回路２１４及び第１のメモリ回路２２１のデータの読み書きを行なう。
【００２８】
まず、この通信動作に入るのに先立って、コネクタ２１１を通して、カメラ本体１００のコネクタ１１３から電源の供給を受ける。コネクタ２１１を通った電源供給ラインは、第２の電源供給回路２１５にて第２のブロック２（２０２）の各部へ電源供給されると同時に、電源供給選択回路２２２を通して、第１のメモリ回路２２１にも電源が供給される。以上のように、有線通信モードでは、第２のメモリ回路２１４、第１のメモリ回路２２１の両方に読み書きを行なうことができる。
【００２９】
次に、無線通信モードについて説明する。無線通信モードでは、第１の制御回路２２０がカード全体の制御を行なう。コネクタ２１１を通して有線通信が確立しておらず、かつ、アンテナ２１６、アンテナ２１７を通して、カメラ本体１００と無線通信が確立しているときには、画像記録用メモリカード１２０は、無線通信モードとして働く。
【００３０】
カメラ本体１００から画像記録用メモリカード１２０へ送られる通信データは、カメラ本体１００の変調器２３２を通して変調され、アンテナ２３４から無線で飛ばされる。画像記録用メモリカード１２０側のアンテナ２１７では、この変調されたデータを受け、復調器２１９で復調されて第１の制御回路２２０へと通信データを送る。
【００３１】
一方、第１の制御回路２２０からカメラ本体１００へ送られる通信データは、カード側の変調器２１８にて変調され、アンテナ２１６を通して無線で飛ばされる。カメラ本体１２０は、アンテナ２３３で無線データを受けて、復調器２３１にて復調を行い、ＣＰＵ１０７へ無線データを送る。
【００３２】
これらの無線通信動作に先立って、アンテナ２１７を通してカメラ本体１００からは、電磁誘導にて、第１の電源供給回路（２２３）に対して電源供給される。無線モードでは、第１の電源供給回路２２３から第１のブロック２０３のみに電源供給されると同時に、電源供給選択回路２２２を通して、第１のメモリ回路２２１にも電源が供給される。
【００３３】
第１の制御回路２２０は、第１のメモリ回路２２１にデータを読み書きを行なう。無線通信モードでは、通信速度が有線通信よりも遅いため、また電磁誘導による電力供給量が少ないため、第１のブロック２０３のみに給電されており、電磁誘導を通して得られた少ない電力で、第１のメモリ回路２２１を読み書きすることができる。
【００３４】
以上説明した構成の画像記録用メモリカード１２０、第２のメモリ回路２１４、第１のメモリ回路２２１について、第２のメモリ回路２１４は大きな容量と電力を必要とする撮影画像の本画像や、大きなサムネイル等を記録する用途に用い、第１のメモリ回路２２１は、あまり大きな容量や電力を必要としない画像情報（小さなサムネイルや撮影日時情報、記録日時情報、画像のファイル名情報など）を記録するのが最適である。
【００３５】
しかし、各メモリ回路は、この用途だけに限定されるものではなく、第１のメモリ回路２２１、第２のメモリ回路２１４にどのようなデータを記録しても構わないのは言うまでもない。
【００３６】
また、第２のメモリ回路２１４や第１のメモリ回路２２１は、フラッシュメモリやＥＥＰＲＯＭ、誘電体メモリなどの不揮発半導体メモリで構成されても構わないし、図示されていないが、バッテリーバックアップされたＳＲＡＭ等でも構わないし、その他、データが保持できるものであれば半導体メモリに限らず、どのような記憶手段でも構わないのも、言うまでもない。
【００３７】
次に、図９を用いて、画像記録用メモリカード１２０の起動シーケンスについて説明する。
最初のステップＳ９０１において処理が開始すると、次に、ステップＳ９０２に進み、コネクタ２１１を通して電源が供給されているかどうかの判断を行なう。この判断の結果、コネクタ２１１を通して電源供給が行われている場合（Ｙ）には、ステップＳ９０３へと進み、供給が行われていない場合（Ｎ）は、ステップＳ９０７へと進む。
【００３８】
ステップＳ９０３では、コネクタ２１１を通して供給された電力を基に第２の電源供給回路２１５から第２のブロック（２０２）や第２のメモリ回路２１４、第１のメモリ回路２２１に対して電源供給される。
【００３９】
次に、ステップＳ９０４にて、第２の制御回路２１３を起動し、ステップＳ９０５では、第２の制御回路２１３の制御指令により、第１のメモリ回路２２１や第２のメモリ回路２１４のデータを読み書きするとともに、外部と有線通信で通信を行なう。以上が有線通信モードへの移行手順である（ステップＳ９０６）。
【００４０】
一方、ステップＳ９０２の判断の結果（Ｎ）の場合は、ステップＳ９０７で、アンテナ２１７を介して電磁誘導にて電源供給が行われているかどうかの判断を行なう。この判断の結果、電源供給が行われている場合（Ｙ）は、ステップＳ９０８へと進み、電源供給が行われていない場合（Ｎ）は、ステップＳ９１２へと進む。
【００４１】
ステップＳ９０８では、アンテナ２１７を通して供給された電力を基に第１の電源供給回路２２３から第１のブロック（第１の電源供給回路２２３）や第１のメモリ回路２２１に対して電源供給される。
【００４２】
ステップＳ９０９にて、第１の制御回路２２０を起動し、次に、ステップＳ９１０では、第１の制御回路２２０の制御指令により、第１の制御回路２２０のデータを読み書きする共に、外部と無線通信で通信を行なう。以上が無線通信モードへの移行手順である（ステップＳ９１１）。
【００４３】
一方、ステップＳ９０７の判断の結果、電源供給が行われていない（Ｎ）の場合は、ステップＳ９１２でカードＯＦＦ状態にされる。
【００４４】
図４（Ａ）は、有線通信モードにて、ディスプレイ１１０に画像情報を表示したときの表示例を表した図である。有線通信モードにおいては、比較的高速の通信ができるので、容量の大きなサムネイル画像を９個表示している。これに対して、図４の（Ｂ）〜（Ｅ）は、無線通信モードでの画像情報を表示した表示例を表した図である。
【００４５】
無線通信モードでは、比較的低速の通信しかできないので、通信データ量を減らした表示を行なうようにしている。図４（Ｂ）は、図４（Ａ）に比べて、小さなサムネイルを表示した例である。また、図４（Ｃ）は、図４（Ａ）に比べて、少ない量のサムネイルを表示した例である。さらに、図４（Ｄ）は、個々の画像情報では無く、メモリカードの全般的な記録日時や、画像量等を表示して、メモリカード全体を表した例である。そして、図４（Ｅ）は、個々の画像の日付やファイル名を表示した例である。
【００４６】
＜メモリカードへの書き込み実施の形態＞
図５は、カメラ１００が、有線通信モードにて、メモリカードへデータを書き込む際のアルゴリズムの一例を示したフローチャートである。
先ず、ステップＳ５０１から開始して、次に、ステップＳ５０２にて、操作スイッチ１０５の一部である撮影ボタン（非表示）が押されるまで繰り返し待機する。そして、撮影ボタンが押されると、ステップＳ５０３へと進み、ＣＰＵ１０７を通して、撮像部制御回路１０４を制御して、撮影動作が開始される。
【００４７】
次に、ステップＳ５０４にて、本画像を前述のように画像記録用メモリカード１２０内の第２のメモリ回路２１４に記録する。さらにステップＳ５０５にて、容量の大きなサムネイル画像を前述のように画像記録用メモリカード１２０内の第２のメモリ回路２１４に記録する。
【００４８】
そして、次のステップＳ５０６にて、容量の小さなサムネイル画像を、第１のメモリ回路２２１へ記録する。次に、ステップＳ５０７において、サムネイル以外の画像情報（撮影日時情報や、画像のファイルネーム情報等）を第１のメモリ回路２２１へ記録して、再び撮影待機状態に入る。
【００４９】
＜メモリカードからの第１の読み出し例＞
図６は、カメラ１００が、有線通信モード及び無線通信モードにて、画像記録用メモリカード１２０の画像情報をディスプレイ１１０に表示する方式の、ＣＰＵ１０７の動作アルゴリズムの一例を示したフローチャートである。
【００５０】
図６に示すように、ステップＳ６０１から動作が開始すると、次に、ステップＳ６０２にて、第１の画像記録用メモリカード＃１（以後、複数のカードを識別するために、＃１、＃２、＃３の符号を付して各カードを区別する）が無線通信モードで接続しているかどうかの判別を行なう。
【００５１】
この判別の結果、無線モードで接続していない場合（Ｎ）はステップＳ６０３へ進み、無線接続している場合（Ｙ）はステップＳ６０５へ進む。ステップＳ６０３では、カードスロットに別カードである第２の画像記録用メモリカード＃２が有線通信モードで接続しているかどうかの判別を行なう。
【００５２】
この判別の結果、有線接続している場合（Ｙ）は、ステップＳ６０４へ進み、有線接続していない場合（Ｎ）はステップＳ６０２へと戻る。ステップＳ６０４では、第２の画像記録用メモリカード＃２における第１のメモリ回路２２１と第２のメモリ回路２１４との内容から画像情報を呼び出してディスプレイ１１０に表示を行なう。
【００５３】
また、ステップＳ６０２の判断の結果、無線接続している（Ｙ）の場合は、ステップＳ６０５に進んで第１の画像記録用メモリカード＃１における第１のメモリ回路２２１の内容から画像情報を読み出してディスプレイ１１０に表示する。
【００５４】
次に、ステップＳ６０６に進み、第１の画像記録用メモリカード＃１の無線接続が切断されたかどうかの判別を行なう。この判別の結果、無線接続が切断されていない（Ｎ）場合は、ステップＳ６０５へと戻り、切断された場合（Ｙ）はステップＳ６０７へと進む。
【００５５】
ステップＳ６０７では、カードスロットに第２の画像記録用メモリカード＃２が入っており、有線通信モードで接続しているかどうかの判別を行なう。この判別の結果、有線接続をしている場合（Ｙ）はステップＳ６０８へ進み、有線接続をしていない場合（Ｎ）はステップＳ６１０へ進む。
【００５６】
ステップＳ６０８では、第２の所定時間Ｔ２だけ待機を行い、第２の所定時間Ｔ２が経過した後ステップＳ６０９へと進む。ステップＳ６０９では、画像記録用メモリカード＃２における第１のメモリ回路２２１と第２のメモリ回路２１４との内容から画像情報を呼び出してディスプレイ１１０に表示を行なう。
【００５７】
一方、ステップＳ６０７の判別の結果、有線接続をしていない（Ｎ）場合は、ステップＳ６１０で第１の所定時間Ｔ１だけ待機を行い、第１の所定時間Ｔ１が経過した後でステップＳ６１１へと進む。
【００５８】
ステップＳ６１１では、第１の画像記録カード＃１における第１のメモリ回路２２１に記録されている内容の情報が表示されているのを消去して終了する。ここで、第２の所定時間Ｔ２＜第１の所定時間Ｔ１の関係で時間設定を行なう。つまりは、ディスプレイ１１０に次に表示する内容がある場合は、短時間（Ｔ２）で表示を行い、表示する内容が無い場合は、長時間（Ｔ１）の表示をし続けるように設定する。
【００５９】
＜メモリカードからの第２の読み出し例＞
図７は、カメラ１００が、無線通信モードにて、画像記録用メモリカード１２０の画像情報をディスプレイ１１０に表示する方式における、ＣＰＵ１０７の動作アルゴリズムの第２の実施の形態を示したフローチャートである。
【００６０】
ステップＳ７０１において処理が開始されると、次に、ステップＳ７０２にて、第１の画像記録用メモリカード＃１が、無線通信モードで接続しているかどうかの判別を行なう。この判別の結果、無線モードで接続していない場合（Ｎ）はステップＳ７０２へ戻り、無線接続している場合（Ｙ）はステップＳ７０３へ進む。ステップＳ７０３では、第１の画像記録用メモリカード＃１における第１のメモリ回路２２１に記録されている内容から画像情報を読み出してディスプレイ１１０に表示する。
【００６１】
次に、ステップＳ７０４では、第１の画像記録用メモリカード＃１の無線接続が切断されたかどうかの判別を行なう。この判別の結果、無線接続が切断されていない（Ｎ）場合は、ステップＳ７０３へと戻り、切断された場合（Ｙ）はステップＳ７０５へと進む。
【００６２】
ステップＳ７０５では、新たな第３の画像記録用メモリカード＃３との無線接続が開始されたかどうかの判別を行い、開始された場合（Ｙ）は、ステップＳ７０７へ進み、開始されていない場合（Ｎ）は、ステップＳ７０６へ進む。
【００６３】
ステップＳ７０６では、第１の所定時間Ｔ１だけ待機を行い、第１の所定時間Ｔ１に達していない場合はステップＳ７０５へ戻り、第１の所定時間Ｔ１に達した場合は、ステップＳ７０７へ進む。ステップＳ７０７では、第１の画像記録カード＃１における第１のメモリ回路２２１に記録されている内容の情報が表示されているのを消去して終了する。
【００６４】
つまりは、通信が切断されたときに、次の通信が始まるなど、ディスプレイ１１０に次に表示する内容がある場合は、一定時間（Ｔ１）の表示中でも直ぐに前の表示内容を消去する。しかし、まだ次の通信が開始していないなど、表示する内容が無い場合は、一定時間（Ｔ１）の表示をし続けるようにする。
【００６５】
＜メモリカードからの第３の読み出し例＞
図８は、カメラ１００が、有線通信モード及び無線通信モードにて、画像記録用メモリカード１２０の画像情報をディスプレイ１１０に表示する方式において、ＣＰＵ１０７が実行する動作アルゴリズムの第３の例を示したフローチャートである。
【００６６】
図８に示したように、ステップＳ８０１から開始すると、次に、ステップＳ８０２にて、第１の画像記録用メモリカード＃１が、無線通信モードで接続しているかどうかの判別を行なう。この判別の結果、無線モードで接続していない場合（Ｎ）はステップＳ８０３へ進み、無線接続している場合（Ｙ）はステップＳ８０５へ進む。ステップＳ８０３では、カードスロットに別カードである画像記録用メモリカード＃２が有線通信モードで接続しているかどうかの判別を行なう。
【００６７】
この判別の結果、有線接続している場合（Ｙ）はステップＳ８０４へ進み、有線接続していない場合（Ｎ）はステップＳ８０２へと戻る。ステップＳ８０４では、第２の画像記録用メモリカード＃２における第１のメモリ回路２２１と第２のメモリ回路２１４との内容から画像情報を呼び出してディスプレイ１１０に表示を行なう。
【００６８】
一方、ステップＳ８０２の判断の結果、有線接続している場合（Ｙ）は、ステップＳ８０５に進み、第１の画像記録用メモリカード＃１における第１のメモリ回路２２１の内容から画像情報を読み出してディスプレイ１１０に表示する。
【００６９】
次に、ステップＳ８０６では、第１の画像記録用メモリカード＃１の情報を表示中に、有線接続された第２の画像メモリカード＃２に関しての本体操作（たとえば、サムネイルの選択操作とか、ページ送りなど）が行われたかどうかの判別を行なう。この判別の結果、本体操作が行われた（Ｙ）場合には、ステップＳ８０７へ進み、本体操作が行われていない場合（Ｎ）はステップＳ８０９へ進む。
【００７０】
ステップＳ８０７では、第２の画像記録用メモリカード＃２における第１のメモリ回路２２１と第２のメモリ回路２１４との内容から画像情報を呼び出してディスプレイ１１０に表示すると共に、本体操作にあわせた表示を行なう。次に、ステップＳ８０８に進み、第４の所定時間Ｔ４だけ待機した後でステップＳ８０２へ戻り、以下繰り返す。
【００７１】
一方、ステップＳ８０９に進んだ場合は、第１の画像記録用メモリカード＃１の無線接続が切断されたかどうかの判別を行なう。この判別の結果、無線接続が切断されていない（Ｎ）場合は、ステップＳ８０５へと戻り、切断された場合（Ｙ）はステップＳ８１０へと進む。
【００７２】
ステップＳ８１０では、カードスロットに第２の画像記録用メモリカード＃２が入っており、有線通信モードで接続しているかどうかの判別を行なう。この判別の結果、第２の画像記録用メモリカード＃２と有線接続をしている場合（Ｙ）はステップＳ８１１へ進み、有線接続をしていない場合（Ｎ）はステップＳ８１２へ進む。
【００７３】
次に、ステップＳ８１１では、第２の画像記録用メモリカード＃２における第１のメモリ回路２２１と第２のメモリ回路２１４との内容から画像情報を呼び出してディスプレイ１１０に表示を行なう。
【００７４】
一方、ステップＳ８１２では、カードスロットに第４の画像記録用メモリカード＃４が新たに挿入されたかどうかの判別を行なう。この判別の結果、第４の画像記録用メモリカード＃４が新たに挿入されて有線通信モードで接続を開始した場合（Ｙ）はステップＳ８１３へ進み、新たな挿入が無い場合（Ｎ）はステップＳ８１４へ進む。
【００７５】
ステップＳ８１４では、何らかの本体操作が行なわれたかどうかの判別を行なう。この判別の結果、本体操作が行なわれた場合（Ｙ）には、ステップＳ８０２へ戻るが、本体操作が行われていない（Ｎ）場合は、ステップＳ８１５へと進む。
【００７６】
ステップＳ８１５では、第３の所定時間Ｔ３だけ待機を行なう。第３の所定時間Ｔ３の待機が完了していない場合（Ｎ）はステップＳ８１２へ戻る。また、前記第３の所定時間Ｔ３の待機が完了した場合（Ｙ）は、ステップＳ８１６へ進む。
【００７７】
ステップＳ８１６では、第１の画像記録カード＃１における第１のメモリ回路２２１に記憶されている情報が表示されているのを消去して終了する。つまりは、無線接続中に、別の本体操作が入った場合には、これを優先して操作に合わせた表示を第４の所定時間（Ｔ４）だけ行なうようにしている。
【００７８】
また、無線通信切断後に、次に表示するべき内容がある場合は、前の表示を直ぐに消去し、無線切断後に表示する内容が無い場合は、一定時間（Ｔ３）の表示をし続けるようにしている。ただし、表示中に別の操作が入った場合には、前記一定時間（Ｔ３）の表示をキャンセルする。
【００７９】
（本発明の他の実施の形態）
本発明は複数の機器から構成されるシステムに適用しても１つの機器からなる装置に適用しても良い。
【００８０】
また、前述した実施の形態の機能を実現するように各種のデバイスを動作させるように、前記各種デバイスと接続された装置あるいはシステム内のコンピュータに対し、記憶媒体から、またはインターネット等の伝送媒体を介して前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００８１】
また、この場合、前記ソフトウェアのプログラムコード自体が前述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００８２】
また、コンピュータが供給されたプログラムコードを実行することにより、前述の実施の形態で説明した機能が実現されるだけでなく、そのプログラムコードがコンピュータにおいて稼働しているＯステップＳ（オペレーティングシステム）あるいは他のアプリケーションソフト等の共同して前述の実施の形態で示した機能が実現される場合にもかかるプログラムコードは本発明の実施の形態に含まれることは言うまでもない。
【００８３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれる。
【００８４】
【発明の効果】
以上説明してきたように、本発明によれば、メモリカードに無線モードと有線モードとを設け、各モードに合わせてメモリの使い方を最適化するようにしたので、メモリカードをカードスロットにいちいち挿入しなくても、書かれている内容を容易に確認することが可能となり、前記メモリカードを使用する装置本体に触るだけで内容の確認を行なうことが可能であり、きわめて使いやすいメモリカードを実現することができる。
また、本発明の他の特徴によれば、無線で使用する場合には、使用する回路やメモリ等を限定することができるので、無線使用時には最小限の電力にて駆動することが可能となり、アンテナの小型化や省電力化を可能にすることができる。
【図面の簡単な説明】
【図１】本発明の実施の形態を示し、実施の形態のシステムの構成を表す図である。
【図２】実施の形態のシステムの構成を表す図である。
【図３】実施の形態のシステムを説明する図である。
【図４】実施の形態のシステムを説明する図である。
【図５】実施の形態の動作を説明するフローチャートである。
【図６】実施の形態の動作を説明するフローチャートである。
【図７】実施の形態の動作を説明するフローチャートである。
【図８】実施の形態の動作を説明するフローチャートである。
【図９】実施の形態の動作を説明するフローチャートである。
【符号の説明】
１００  カメラ
１１３  コネクタ
１１５  変復調器
１２０  メモリカード
２０２  第２のブロック
２０３  第１のブロック
２１１  コネクタ
２１２  通信インターフェース
２１３  第２の制御回路
２１４  第２のメモリ回路
２１５  第２の電源供給回路
２１６  アンテナ
２１７  アンテナ
２１８  変調器
２１９  復調器
２２０  第１の制御回路
２２１  第１のメモリ回路
２２２  電源供給選択回路
２２３  第１の電源供給回路
２３１  復調器
２３２  変調器
２３３  アンテナ
２３４  アンテナ
【図１】
2004265343.tif 000003
【図２】
2004265343.tif 000004
【図３】
2004265343.tif 000005
【図４】
2004265343.tif 000006
【図５】
2004265343.tif 000007
【図６】
2004265343.tif 000008
【図７】
2004265343.tif 000009
【図８】
2004265343.tif 000010
【図９】
2004265343.tif 000011